(57)【要約】【課題】複数の表示内容を表示することができ、その表示内容を見やすくすることができる表示装置を提供すること。【解決手段】複数の表示内容をそれぞれ帯状に分割し、その分割された表示内容を縮小して印刷した各表示部を、第１の表示部、第２の表示部、第３の表示部の順番で交互に表示板１１に形成する。この表示板１１に対向するように、表示内容を拡大するレンズＬ１〜Ｌ６からなるレンズ列１２を配置する。レンズ列１２は、同レンズ列１２を固定した可動板１３の移動により、各表示部が連なる方向に相対移動される。このとき、レンズ列１２と表示板１１との相対距離の調節により、レンズＬ１〜Ｌ６が対向する各表示部の表示内容がレンズＬ１〜Ｌ６により拡大され、その拡大された図柄が連続されて所定の図柄が視認される。【選択図】      図１
2004294703.tif 000002
【特許請求の範囲】
【請求項１】
複数の表示内容が、それぞれ帯状に分割され、その分割された表示内容をそれぞれ表示した各表示部を、板面上に予め定めた順番で交互に配置形成した表示板と、
前記表示板の表示内容を、その表示部が連なる方向に拡大する一次元レンズの配列体と、
所定の表示内容を表示する前記各表示部と、前記配列体の各一次元レンズとを対向させた状態で、前記各表示部が連なる方向に相対移動させて、前記各表示部に対向する前記一次元レンズを変化させる移動手段を備え、
前記配列体は、前記表示板の平面方向に直交する方向に、前記各一次元レンズが対向する所定の表示内容を表示する前記各表示部の分割された表示内容が、同一次元レンズにより連続して視認されるように拡大される距離を設けて配置されていることを特徴とする表示装置。
【請求項２】
請求項１に記載の表示装置において、
前記表示板は、光を透過する材料からなり、その透光材料の一側に発光部を備えていることを特徴とする表示装置。
【請求項３】
請求項１又は２に記載の表示装置において、
前記配列体の一次元レンズは、略円柱形状の透明樹脂からなり、その曲面が互いに接するように並列に配列されることを特徴とする表示装置。
【請求項４】
請求項１〜３のいずれか一つに記載の表示装置において、
前記配列体の一次元レンズは、一方の面が凸面で他方の面が平面からなり、その曲面が互いに接するように並列に配列され、その配列された複数の一次元レンズは一体形成されていることを特徴とする表示装置。
【発明の詳細な説明】
【０００１】
【発明の属する技術分野】
本発明は、表示装置に関する。
【０００２】
【従来の技術】
従来、室内の明度又は温度を適度な状態に保つ等の目的で、室内に入射する光の透過率を調節する調光装置があった。このような調光装置として、例えば、図８及び図９に示すように、光を透過しない遮光部５１ａ，５２ａと、光を透過させる透光部５１ｂ，５２ｂとを帯状に設けた２枚の第１及び第２の板５１，５２を互いに平行に配置する調光装置があった（例えば、特許文献１参照。）。この第２の板５２の帯状に分割された遮光部５２ａには、文字や絵等の第１の図柄（図９では「イ」の文字）５３を形成する図柄が形成されている。又、帯状の分割された透光部５２ｂには同じく文字や図柄等の第２の図柄（図９では「Ａ」の文字）５４を形成する図柄が形成されている。そして、この調光装置では、第１の板５１と第２の板５２とを互いにずらすことにより光の透過率を調整する。
【０００３】
すなわち、透光時には、対向する第１及び第２の板５１，５２の遮光部５１ａ，５２ａどうし、透光部５１ｂ，５２ｂどうしがそれぞれ重なるようにして、重なった透光部５１ｂ，５２ｂから光が入射するようにする。反対に、遮光時には、透光部５１ｂ，５２ｂとそれと対向する板の遮光部５１ａ，５２ａとがそれぞれ重なるようにして、光が透光部５１ｂ，５２ｂから入射するのを遮るようにする。
【０００４】
そして、透光時において第２の板５２の各透光部５２ｂは、第１の板５１の透光部５１ｂと重なるため、第２の板５２の各透光部５２ｂの一部に形成した第２の図柄５４が表示される。又、遮光時において第２の板５２の各遮光部５２ａの一部に形成した図柄は、第１の板５１の透光部５１ｂと重なるため、第２の板５２の遮光部５２ａの一部に形成した第１の図柄５３が表示される。
【０００５】
【特許文献１】
特開平９−６７９８４号公報
【０００６】
【発明が解決しようとする課題】
ところが、遮光時及び透光時にそれぞれ表示される第２の板５２の分割された第１及び第２の図柄５３，５４は、表示された際に一つの図柄（表示内容）として視認することができるものの、第１及び第２の図柄５３，５４に、第１の板５１の遮光部５１ａが重なるため見にくい。例えば、透光時には、板５２の透光部５２ｂに表示された第２の図柄５４は、図１０に示すように第１の板５１に帯状に設けられた複数の遮光部５１ａを介して見られる。その結果、第２の板５２の第２の図柄５４と第１の板５１の遮光部５１ａとが重なって表示されるため、第２の図柄５４が部分的に分断され、見にくい。また、遮光時の場合も、第２の板５２の遮光部５２ａに表示された第１の図柄５３は、第１の板５１の遮光部５１ａと重なって表示されるため、第１の図柄５３が部分的に分断され、見にくい。
【０００７】
本発明の目的は、複数の表示内容を表示することができ、その表示内容を見やすくすることができる表示装置を提供することにある。
【０００８】
【課題を解決するための手段】
上記問題点を解決するために、請求項１に記載の発明は、複数の表示内容が、それぞれ帯状に分割され、その分割された表示内容をそれぞれ表示した各表示部を、板面上に予め定めた順番で交互に配置形成した表示板と、前記表示板の表示内容を、その表示部が連なる方向に拡大する一次元レンズの配列体と、所定の表示内容を表示する前記各表示部と、前記配列体の各一次元レンズとを対向させた状態で、前記各表示部が連なる方向に相対移動させて、前記各表示部に対向する前記一次元レンズを変化させる移動手段を備え、前記配列体は、前記表示板の平面方向に直交する方向に、前記各一次元レンズが対向する所定の表示内容を表示する前記各表示部の分割された表示内容が、同一次元レンズにより連続して視認されるように拡大される距離を設けて配置されている。
【０００９】
請求項２に記載の発明は、請求項１に記載の表示装置において、前記表示板は、光を透過する材料からなり、その透光材料の一側に発光部を備えている。
請求項３に記載の発明は、請求項１又は２に記載の表示装置において、前記配列体の一次元レンズは、略円柱形状の透明樹脂からなり、その曲面が互いに接するように並列に配列される。
【００１０】
請求項４に記載の発明は、請求項１〜３のいずれか一つに記載の表示装置において、前記配列体の一次元レンズは、一方の面が凸面で他方の面が平面からなり、その曲面が互いに接するように並列に配列され、その配列された複数の一次元レンズは一体形成されている。
【００１１】
（作用）
請求項１に記載の発明によれば、表示板に設けられた、分割された表示内容を表示した各表示部は、その表示部に対向した一次元レンズによって拡大され、その表示内容は連続されて視認される。従って、表示装置に表示する表示内容に欠落する部分をなくし、見やすくすることができる。また、移動手段により、各一次元レンズが対向する表示部が変化するため、同一次元レンズで拡大する表示内容を切り替えることができる。このため、表示装置に表示される複数の表示内容を切り替えることができる。
【００１２】
請求項２に記載の発明によれば、一次元レンズの拡大により暗くみえる各表示部の表示内容を、発光部から発する光を一側から照射することにより、明るくして見やすくすることができる。
【００１３】
請求項３に記載の発明によれば、一次元レンズは表示板に設けられた各表示部を拡大して表示するとともに、配列体の移動によって表示内容を切り替えることができる。
【００１４】
請求項４に記載の発明によれば、一次元レンズは表示板に設けられた各表示部を拡大して表示するとともに、配列体の移動によって表示内容を切り替えることができる。
【００１５】
【発明の実施の形態】
以下、本発明を具体化した一実施形態を図１〜図７にしたがって説明する。
図１は、本実施形態の表示装置１０の斜視図である。本実施形態の表示装置１０は、複数の表示内容を切り替えて表示するものである。
【００１６】
表示装置１０は、表示板１１、レンズ列１２、同レンズ列１２を固定した可動板１３、及び発光体２０から構成される。表示板１１はレンズ列１２に対向するように配置されている。
【００１７】
表示板１１は、板状に形成され、光を透過させる透光材料からなる。印刷面１１ａには、図２に示すように、それぞれ一つの表示内容が表示される第１の表示部Ａ１〜Ａ６、第２の表示部Ｂ１〜Ｂ６、第３の表示部Ｃ１〜Ｃ６が帯状に形成されている。６つずつ形成された各表示部Ａ１〜Ａ６，Ｂ１〜Ｂ６，Ｃ１〜Ｃ６は、表示板１１の幅Ｗ方向にわたって延び、表示板１１の縦Ｌ方向に連ねられる。このとき、各表示部Ａ１〜Ａ６，Ｂ１〜Ｂ６，Ｃ１〜Ｃ６は、第１の表示部、第２の表示部、第３の表示部の順番を交互に繰り返して配置されている。
【００１８】
各表示部Ａ１〜Ａ６，Ｂ１〜Ｂ６には、一つの表示内容（図柄）を帯状に六分割した図柄が、さらに表示板１１の縦Ｌ方向に縮小されてそれぞれ印刷されている。第１の表示部Ａ１〜Ａ６には、「Ａ」の文字の図柄（表示内容）が六分割され、縦Ｌ方向に縮小された図柄がそれぞれ青いインク（塗料）で印刷（塗布）されている。また、第２の表示部Ｂ１〜Ｂ６には、「イ」の文字の図柄（表示内容）が六分割され、縦Ｌ方向に縮小された図柄がそれぞれ赤いインク（塗料）で印刷（塗布）されている。これらの表示部Ａ１〜Ａ６，Ｂ１〜Ｂ６中の印刷された部分は、光を透過させるようになっている。尚、第３の表示部Ｃ１〜Ｃ６には、表示内容がなく図柄が印刷されていない。
【００１９】
表示板１１の裏面１１ｂ側には、発光部としての発光体２０（図３参照）が配置されている。発光体２０は、各表示部Ａ１〜Ａ６，Ｂ１〜Ｂ６，Ｃ１〜Ｃ６を裏面１１ｂから照射し、その光を表示板１１及び各表示部Ａ１〜Ａ６，Ｂ１〜Ｂ６，Ｃ１〜Ｃ６を介してレンズ列１２に入射させる。各表示部Ａ１〜Ａ６，Ｂ１〜Ｂ６，Ｃ１〜Ｃ６の表示内容は、レンズＬ１〜Ｌ６を介して視認されると、直接視認する場合よりも暗くみえるが、発光体２０の照射により、その表示内容（図柄）が明るくみえる。その結果、各表示部Ａ１〜Ａ６，Ｂ１〜Ｂ６，Ｃ１〜Ｃ６の表示内容が、レンズＬ１〜Ｌ６を介して視認しても見やすい状態となる。
【００２０】
レンズ列１２は、６本のレンズＬ１〜Ｌ６から構成されている。各レンズＬ１〜Ｌ６は、透明樹脂、ガラス等の光を透過する材料からなり、それぞれ略円柱形状に形成されている。そして、レンズＬ１〜Ｌ６の曲面どうしが隣接したレンズに当接するように並列に配列されるとともに、隣接したレンズと当接していない側の曲面が印刷面１１ａと対向するように設けられている。このレンズ列１２の各レンズＬ１〜Ｌ６は、各表示部Ａ１〜Ａ６，Ｂ１〜Ｂ６，Ｃ１〜Ｃ６の縮小された図柄をそれぞれ拡大して表示するレンズである。
【００２１】
各レンズＬ１〜Ｌ６の一端部は、移動手段としての可動板１３によって固定されている。可動板１３は、図示しない駆動機構に接続されており、図中Ｚ矢印方向に往復移動して、レンズ列１２を予め決められた距離だけ移動させる。そして、各レンズＬ１〜Ｌ６が対向する表示部Ａ１〜Ａ６，Ｂ１〜Ｂ６，Ｃ１〜Ｃ６を適宜変化させることによって、レンズＬ１〜Ｌ６を介して視認される図柄を変えて、表示装置１０が表示する内容を切り替えるようになっている。
【００２２】
次に、表示板１１とレンズＬ１〜Ｌ６との位置関係を図３に従って説明する。図３は、図１中Ａ−Ａ線における断面を示している。尚、図３には便宜上、レンズ列１２、表示板１１、発光体２０を部分的に示した。各レンズＬ１〜Ｌ６は、可動板１３の移動により、表示板１１の第１の表示部Ａ１〜Ａ６とそれぞれ対向する位置、第２の表示部Ｂ１〜Ｂ６とそれぞれ対向する位置、第３の表示部Ｃ１〜Ｃ６とそれぞれ対向する位置との間をＺ矢印方向に往復移動する。
【００２３】
図３は、各レンズＬ１〜Ｌ６が、第１の表示部Ａ１〜Ａ６とそれぞれ対向する位置に配置された状態を示している。レンズＬ１は第１の表示部Ａ１と対向し、レンズＬ２は第１の表示部Ａ２と対向し、レンズＬ３〜Ｌ６は第１の表示部Ａ３〜Ａ６とそれぞれ対向している。そして、各レンズＬ１〜Ｌ６は、各表示部Ａ１〜Ａ６に、分割及び縮小されて印刷された図柄をそれぞれ拡大する。
【００２４】
また、各レンズＬ１〜Ｌ６の主点と各表示部Ａ１〜Ａ６（Ｂ１〜Ｂ６，Ｃ１〜Ｃ６）との間隔は、相対距離Ｄに調節されている。この相対距離Ｄは、レンズＬ１〜Ｌ６の焦点距離よりも短く、レンズ列１２を介して表示部Ａ１〜Ａ６を視た場合に、拡大された第１の表示部Ａ１〜Ａ６の各図柄の虚像が連続されて視認される距離に設定されている。
【００２５】
図４は、このときの各レンズＬ１〜Ｌ６を介して表示板１１を視たときの正面図である。レンズＬ１〜Ｌ６を介して表示板１１を視た場合、第１の表示部Ａ１〜Ａ６の分割された各図柄が図３中Ｚ矢印方向にそれぞれ拡大される。その結果、隣り合った第１の表示部Ａ１〜Ａ６の各図柄の虚像と連続して、全体として「Ａ」の文字の図柄Ｍ１として視認される。従って、図柄Ｍ１は、部分的に分断されるようなことがなく、図柄全体が視認されるため見やすい状態で表示される。このとき、この図柄Ｍ１は、発光体２０から射出したレンズ入射光が第１の表示部Ａ１〜Ａ６の青いインク（塗料）による印刷部分を透過しているため、青色にみえる。また、各表示部Ａ１〜Ａ６の表示内容は、発光体２０により照射されているため、明るくなっており、見やすい。
【００２６】
次に、レンズＬ１〜Ｌ６が第１の表示部Ａ１〜Ａ６と対向する状態において、可動板１３を図１中Ｚ矢印方向に、予め設定された距離だけ下方に移動させる。そして、各レンズＬ１〜Ｌ６が第２の表示部Ｂ１〜Ｂ６と対向する状態にする。この状態で、発光体２０を発光させて、表示板１１を裏面１１ｂから照射する。
【００２７】
図５は、このときの各レンズＬ１〜Ｌ６を介して表示板１１を視た正面図である。レンズＬ１〜Ｌ６を介して表示板１１を視た場合、第２の表示部Ｂ１〜Ｂ６の分割された各図柄が図３中Ｚ矢印方向にそれぞれ拡大される。その結果、隣り合った第２の表示部Ｂ１〜Ｂ６の各図柄の虚像が連続して、全体として「イ」の文字の図柄Ｍ２として視認される。従って、図柄Ｍ２は、部分的に分断されるようなことがなく、図柄全体が視認されるため、見やすい状態で表示される。このとき、この図柄Ｍ２は、発光体２０から射出したレンズ入射光が第２の表示部Ｂ１〜Ｂ６の赤いインク（塗料）による印刷部分を透過しているため、赤色にみえる。また、各表示部Ｂ１〜Ｂ６の表示内容は、発光体２０により照射されているため、明るくなっており、見やすい。
【００２８】
また、各レンズＬ１〜Ｌ６が、第１の表示部Ａ１〜Ａ６又は第２の表示部Ｂ１〜Ｂ６と対向する状態において、可動板１３を図１及び図３中Ｚ矢印方向に、予め設定された距離だけ下方に移動させる。そして、レンズＬ１〜Ｌ６の表示板１１と対向する側面が、第３の表示部Ｃ１〜Ｃ６と対向する状態にする。この状態で発光体２０を発光させると、発光体２０は、表示板１１を照射する。このとき、レンズＬ１〜Ｌ６を視ても、第３の表示部Ｃ１〜Ｃ６には図柄が印刷されていないため図柄は視認されない。しかし、各表示部Ｃ１〜Ｃ６は、発光体２０により照射されているため、明るくなっており、図柄が表示されていないことを視認しやすくなっている。
【００２９】
このように、可動板１３を予め決められた距離だけ移動させることによって、各レンズＬ１〜Ｌ６の配置する位置が、第１の表示部Ａ１〜Ａ６、第２の表示部Ｂ１〜Ｂ６、第３の表示部Ｃ１〜Ｃ６とそれぞれ対向する位置の間で変化する。このため、各レンズＬ１〜Ｌ６が拡大する表示内容（図柄Ｍ１，Ｍ２）を切り替えることができる。つまり、場合によって表示装置１０を「Ａ」の文字の図柄Ｍ１を視認させる状態と、「イ」の文字の図柄Ｍ２を視認させる状態と、図柄を視認させない状態とにすることができる。
【００３０】
上記実施形態の表示装置によれば、以下のような効果を得ることができる。
（１）上記実施形態では、表示板１１に、三種類の表示内容をそれぞれ帯状に分割し、さらに縮小させて各表示部Ａ１〜Ａ６，Ｂ１〜Ｂ６，Ｃ１〜Ｃ６に印刷（塗布）した。そして、各表示部Ａ１〜Ａ６，Ｂ１〜Ｂ６，Ｃ１〜Ｃ６を、第１の表示部、第２の表示部、第３の表示部の順番で交互に配置形成した。また、Ｚ矢印方向にのみ拡大するレンズＬ１〜Ｌ６からなるレンズ列１２を、その曲面が表示板１１の各表示部Ａ１〜Ａ６，Ｂ１〜Ｂ６，Ｃ１〜Ｃ６が形成された印刷面１１ａに対向するように設けた。このとき、レンズ列１２と表示板１１との相対距離Ｄを調節することにより、各レンズＬ１〜Ｌ６により各表示部Ａ１〜Ａ６，Ｂ１〜Ｂ６，Ｃ１〜Ｃ６の表示内容（図柄）を拡大させ、その拡大した像を連続した像として視認できるようにした。従って、各表示部Ａ１〜Ａ６，Ｂ１〜Ｂ６，Ｃ１〜Ｃ６に表示された表示内容は、他の表示内容が表われず、連続して視認されるため、部分的に分断されるようなことがない。その結果、表示装置１０に表示される、図柄等の表示内容を見やすくすることができる。
【００３１】
又、可動板１３により、レンズ列１２をＺ矢印方向に往復移動させるようにして、各レンズＬ１〜Ｌ６が対向する各表示部Ａ１〜Ａ６，Ｂ１〜Ｂ６，Ｃ１〜Ｃ６をそれぞれ変化させるようにした。このため、可動板１３の移動により、レンズＬ１〜Ｌ６により拡大される、図柄等の表示内容を切り替えることができる。その結果、表示装置１０に、複数の表示内容を切り替えて表示することができる。
【００３２】
（２）上記実施形態では、表示板１１は、光を透過する材料からなり、その裏面１１ｂ側に発光体２０を備えるようにした。このため、レンズＬ１〜Ｌ６を介して視認されることにより、直接視認する場合よりも暗くみえる各表示部Ａ１〜Ａ６，Ｂ１〜Ｂ６，Ｃ１〜Ｃ６が裏面１１ｂから照射される。その結果、各表示部Ａ１〜Ａ６，Ｂ１〜Ｂ６，Ｃ１〜Ｃ６に印刷（塗布）された図柄（表示内容）を、明るくして見やすくすることができる。
【００３３】
（３）上記実施形態では、レンズ列１２のレンズＬ１〜Ｌ６は、略円柱形状の透明樹脂からなり、曲面どうしが接するように並列に配列されるようにした。そして、レンズＬ１〜Ｌ６の曲面が表示板１１側に対向するように設け、帯状の各表示部Ａ１〜Ａ６，Ｂ１〜Ｂ６，Ｃ１〜Ｃ６を一方向（縦Ｌ方向）に拡大させるようにした。このため、拡大された図柄が互いに連続し、表示装置１０に一つの図柄を表示することができる。
【００３４】
なお、上記実施形態は以下のように変更してもよい。
○上記実施形態では、表示板１１に帯状の第１の表示部Ａ１〜Ａ６、第２の表示部Ｂ１〜Ｂ６、第３の表示部Ｃ１〜Ｃ６を設けるようにした。そして、各表示部Ａ１〜Ａ６、Ｂ１〜Ｂ６には、「Ａ」、又は「イ」の文字等の分割及び縮小された図柄が印刷されるようにしたが、これ以外の図柄でもよい。例えば、これを、図６に示すように、帯状の赤表示部Ｒ、緑表示部Ｇ、及び青表示部Ｂを、赤、緑、青の順番を交互に繰り返して表示板１１に印刷してもよい。このようにすると、可動板１３の移動によって、レンズＬ１〜Ｌ６全体として、青、赤、緑色を切り替えて表示させることができる。
【００３５】
○上記実施形態では、表示板１１に三種類の表示内容を表示した各表示部Ａ１〜Ａ６，Ｂ１〜Ｂ６，Ｃ１〜Ｃ６を六つずつ形成し、６本のレンズＬ１〜Ｌ６を表示装置１０に設けたが、表示板１１に設けられる表示内容の数はいくつでもよく、又、一つの表示内容における分割の数もいくつでもよい。このとき、レンズの数は一つの表示内容における分割の数と同数とする。また、レンズ列１２と表示板１１との相対距離は、各レンズＬ１〜Ｌ６が拡大する像が、全体として連続されて視認される距離となる。
【００３６】
○上記実施形態では、第３の表示部Ｃ１〜Ｃ６に図柄が印刷（塗布）されないようにしたが、図柄を印刷するようにしてもよい。
○上記実施形態では、表示装置１０に６本の円柱状のレンズＬ１〜Ｌ６からなるレンズ列１２を設けたが、各レンズＬ１〜Ｌ６は円柱形状に限らず、断面が楕円の円柱や、半円の円柱の形状でもよい。また、このような複数のレンズを一体に形成してもよい。例えば、図７に示すように、一面が凸面で他方が平面の、断面が半円形状のレンズを一体に形成したレンズ列２１でもよい。このとき、レンズ列２１の凸面が表示板１１に対向するように配置される。
【００３７】
【発明の効果】
本発明によれば、複数の表示内容を表示することができ、その表示内容を見やすくすることができる表示装置を提供することができる。
【図面の簡単な説明】
【図１】実施形態における表示装置の斜視図。
【図２】表示板を説明するための平面図。
【図３】レンズ列と表示部との位置を説明するための説明図。
【図４】レンズ列の正面図。
【図５】レンズ列の正面図。
【図６】別例の表示板の平面図。
【図７】別例のレンズ列の側面図。
【図８】従来の表示装置に設けられた板の平面図。
【図９】従来の表示装置に設けられた板の平面図。
【図１０】従来の表示装置の表示状態の正面図。
【符号の説明】
１０…表示装置、１１…表示板、１２，２１…配列体としてのレンズ列、１３…移動手段としての可動板、２０…発光部としての発光体、Ａ１〜Ａ６…表示部としての第１の表示部、Ｂ…表示部としての青表示部、Ｂ１〜Ｂ６…表示部としての第２の表示部、Ｃ１〜Ｃ６…表示部としての第３の表示部、Ｇ…表示部としての緑表示部、Ｌ１〜Ｌ６…一次元レンズとしてのレンズ、Ｒ…表示部としての赤表示部。
【図１】
2004294703.tif 000003
【図２】
2004294703.tif 000004
【図３】
2004294703.tif 000005
【図４】
2004294703.tif 000006
【図５】
2004294703.tif 000007
【図６】
2004294703.tif 000008
【図７】
2004294703.tif 000009
【図８】
2004294703.tif 000010
【図９】
2004294703.tif 000011
【図１０】
2004294703.tif 000012